(57)【要約】【課題】  写真付証明書の識別方法を提供する。【解決手段】自動販売機内に設置した識別装置に写真付証明書を伝送し進入させる伝送装置に伝送通路を形成する。識別装置は、伝送通路を通して上下ベースに区分され、上ベースには第二発光ダイオードモジュールを有し、第二発光ダイオードモジュールは下ベースの第二センサーモジュールに対応し設置され、写真付証明書の真偽を識別する。生年月日識別モジュールの第一発光ダイオードモジュールと線性センサーを通して、写真付証明書上の誕生日日時を読取り、識別装置は写真付証明書所持人の年齢を判断する。上ベースに設置する画像読取りモジュールを通して、識別装置は写真付証明書所持人の写真を読取り、所持人の身分記録或いは比較を行い、これにより自動販売機は年齢制限のある商品を年齢制限のない消費者にのみ販売することができる。【選択図】図３
2008310691.tif 000002
【特許請求の範囲】
【請求項１】
写真付証明書を伝送装置により取り込んで識別装置に送り、
前記識別装置中に設けた生年月日識別モジュール内の第一発光ダイオードモジュー
ルにより写真付証明書上の生年月日区域を照射し、
前記生年月日識別モジュール内の線性センサーが前記写真付証明書上の生年月日区
域上における反射光の異なる強度により識別しようとする生年月日データを読取り、
前記線性センサーが走査した生年月日データを解析し、
即時時計を通して前記線性センサーが走査した生年月日データを比較し、
この比較したデータを出力することを特徴とする写真付証明書の識別方法。
【請求項２】
可視光を発射可能で、写真付証明書上の特殊標記を識別可能な可視光発行ダイオードを通して写真付証明書の真偽の識別を行うことを特徴とする請求項１記載の写真付証明書の識別方法。
【請求項３】
写真付証明書が偽造であると判断した場合には、所定の接続システムを通して通報を行うことを特徴とする請求項２記載の写真付証明書の識別方法。
【請求項４】
前記線性センサーが走査した生年月日データと、所定の犯罪者データベースとが符合する場合には、所定の接続システムを通して通報を行うことを特徴とする請求項１記載の写真付証明書の識別方法。
【請求項５】
不可視光を発射可能で、写真付証明書貫通率を識別可能な不可視光発光ダイオードを通して写真付証明書真偽の識別を行うことを特徴とする請求項１記載の写真付証明書の識別方法。
【請求項６】
画像読取りモジュール内の第三発光ダイオードにより識別を待つ写真付証明書の画像区域に照射を行い、画像センサーにより識別を待つ写真付証明書上の写真を読み取ることを特徴とする請求項１記載の写真付証明書の識別方法。
【請求項７】
前記画像センサーが読み取った写真付証明書上の写真と、所定の犯罪者データベースとが符合する場合には、所定の接続システムを通して通報を行うことを特徴とする請求項６記載の写真付証明書の識別方法。
【請求項８】
前記比較日時が写真付証明書上の誕生日であるとき、誕生日のプレゼントを贈るパラメーターを出力することを特徴とする請求項１記載の写真付証明書の識別方法。
【請求項９】
写真付証明書を伝送装置により取り込んで識別装置に送る前記ステップにおいて、前記伝送装置はステップモーターにより写真付証明書の伝送速度を制御し、第二発光ダイオードモジュール及び生年月日識別モジュールが、写真付証明書の特殊標記と写真付証明書所持人の西南月日データを同時に識別可能とすることを特徴とする請求項１記載の写真付証明書の識別方法。
【請求項１０】
写真付証明書識別装置が読み取ったデータを所定のメモリに保存することを特徴とする請求項１記載の写真付証明書の識別方法。
【発明の詳細な説明】
【技術分野】
【０００１】
本発明は、写真付証明書の識別方法に係り、特に写真付証明書の真偽、生年月日、画像識別可能な写真付証明書識別方法であり、不可視光発光ダイオードにより写真付証明書の厚み及び写真付証明書上の特殊標記を識別して、写真付証明書の真偽を識別し、さらに識別装置上に設置する生年月日識別モジュールにより、該識別装置は識別を待つ写真付証明書上の生年月日データを読取ることによって写真付証明書所持人の年齢を判断可能で、さらに写真付証明書所持人の年齢を確認するとともに、写真付証明書真偽の識別後は、前記識別装置は内部に設置する画像読取りモジュールにより写真付証明書上の写真を読取り、所定のデータベースと比較し消費者が真実の所持人であるかどうかを確認することにより、一枚のカードが多用され写真付証明書の不法濫用が行われることを回避する写真付証明書の識別方法に関する。
【背景技術】
【０００２】
現代社会は科学技術が発達し、現代人が重視する利便性と迅速性を考慮し、多くの公共場所などに自動販売機が設置されている。このような自動販売機により人件費を大幅に節減可能である他、その利便性は現代人に広く受け入れられている。
【０００３】
一般に、自動販売機の販売対象には年齢の制限がないため、自動販売機が販売する商品は果汁飲料、炭酸飲料、或いはスナックなどの流通率と普及率が比較的高い商品ばかりである。しかしながら、この種の自動販売機は、消費者の真実の年齢や身分を識別不能であるため、タバコ或いはアルコール飲料などの年齢制限のある商品を販売することはできない。
【０００４】
よって、年齢制限のある特殊商品を販売可能とするためには、消費者の身分識別などの問題を考慮に入れなければならないが、商店側が警戒及び考慮しなければならない問題として、身分証の偽造がある。コンピュータテクノロジーの進歩で、コンピュータスキャナー、コピー、裁断接着、プリントなどを利用した精密な写真付証明書を運用した身分、年齢の偽造が増えている。このため、現在使用される多くの写真付証明書は、透かし、特殊な材質、或いは厚みなどの方式の偽造防止技術が使われている。しかしながら、機械により写真付証明書の真偽を識別する方式は、一般の人為方式による方法とは異なるため、裁断接着或いはコピーの方式により偽造写真付証明書を製造しても、機械式の識別装置では消費者の真実の身分を判断することは難しい。
【０００５】
よって、購入者の年齢が制限される商品或いは他の規制商品を販売可能な自動販売機の設計に当たっては、以下の項目に注意することが求められる。
【０００６】
1. 自動販売機が販売する商品に年齢制限がある時には、商店側或いは購入者が当地の法規を犯す恐れを払拭するため、効果的に消費者の真実の年齢を識別し、タバコ、酒などの年齢制限商品を販売しないようにする必要がある。
【０００７】
2. 科学技術の進歩と普及に従い、写真付証明書を作成する装置或いは設備は簡単に手に入り、さらにコンピュータスキャナー、コピー、プリントなどの方式を合わせて精密な偽造写真付証明書を作成することができるため、現在の写真付証明書の様々な偽造技術或いは方式を考慮し、偽造写真付証明書の広がりを防止する必要がある。
【０００８】
3. 写真付証明書所持人の年齢の確認、及び写真付証明書の真偽の識別後、自動販売機の業者或いはメーカーは、消費者が真実の写真付証明書の所持人であるかどうかに注意し、１枚の写真付証明書が多用され、写真付証明書の不法な濫用がなされないよう考慮しなければならない。
【０００９】
4. 一般の自動販売機には、消費者の身分を識別する機能或いは装置がないため、自動販売機の業者或いはメーカーは、自動販売機の限られた空間を利用し、多用途の身分識別装置を設置することが求められる。
【００１０】
上記従来技術の不足は、当業界に関わる業者が改善を目指す課題であり、さらなる改良と最新の設計が必要である。
【発明の開示】
【発明が解決しようとする課題】
【００１１】
本発明はこれらの事情に鑑みてなされたもので、識別装置に設置する生年月日識別モジュールにより所持人の年齢を確認することで、年齢制限のある商品を販売するときには、所持人の真実の年齢を効果的に識別可能で、タバコや酒などの年齢制限のある商品を年齢制限のある者に販売することを防止し、
前記生年月日識別モジュールに即時時計を対応させることで、写真付証明書所持人の消費時間を正確に比較することができ、これに誕生日のプレゼントを贈るメカニズムを対応させ、こうして自動販売機はより人間的になり、消費者の親近感を拡大し、消費意欲の増大を進めることができ、
さらに、自動販売機が各種薬品或いは他の危険性を備える商品を販売することができる場合には、商店或いは販売員が、該商品を取得するために、他人からの脅迫或いは傷害を受けることを防ぎ、保護することができ、もし自動販売機を通して危険性を備える商品或いは管制品を販売する場合には、写真付証明書上の所持人の生年月日、写真、写真付証明書番号、取引時間、或いは取引商品などの関連データの記録により、商店或いは警察は容疑者を調査或いは追跡することができ、社会の治安の安定を助けることができるようにした写真付証明書識別方法を提供することを目的とする。
【課題を解決するための手段】
【００１２】
上記課題を解決するため、本発明による写真付証明書の識別方法は、写真付証明書を伝送装置により取り込んで識別装置に送り、
前記識別装置中に設けた生年月日識別モジュール内の第一発光ダイオードモジュー
ルにより写真付証明書上の生年月日区域を照射し、
前記生年月日識別モジュール内の線性センサーが前記写真付証明書上の生年月日区
域上における反射光の異なる強度により識別しようとする生年月日データを読取り、
前記線性センサーが走査した生年月日データを解析し、
即時時計を通して前記線性センサーが走査した生年月日データを比較し、
この比較したデータを出力することを特徴とする。
【発明の効果】
【００１３】
上記のように、本発明の写真付証明書の識別方法は、識別装置に設置する生年月日識別モジュールにより所持人の年齢を確認することで、年齢制限のある商品を販売するときには、所持人の真実の年齢を効果的に識別可能で、タバコや酒などの年齢制限のある商品を年齢制限のある者に販売することを防止できる。
【発明を実施するための最良の形態】
【００１４】
以下、図面を参照して本発明の実施例を説明する。
【００１５】
先ず、各ハードウエアの配置、ブロックチャートを通して各構成部品の連接関係を説明する。
【００１６】
立体外観図である図１に示すように、本実施例の写真付証明書の識別方法に用いる識別装置１は、伝送通路１３１により区分される下ベース１１と上ベース１２とを有する。
【００１７】
前記下ベース１１には、第二センサーモジュール１１１を設置し、該第二センサーモジュール１１１はさらに赤色光センサー１１１１と赤外線センサー１１１２とから構成されている。
【００１８】
前記上ベース１２には、生年月日識別モジュール１２１と第二発光ダイオードモジュール１２４とを設置している前記生年月日識別モジュール１２１は、さらに第一発光ダイオードモジュール１２１１と線性センサー１２１２とから構成している。前記第二発光ダイオードモジュール１２４は、赤色光発光ダイオード１２４１と赤外線発光ダイオード１２４２とを含む。前記上ベース１２の相対する上方には、画像読取りモジュール１５を設置している。
【００１９】
前記識別装置１内には、伝送装置１３を備えている。該伝送装置１３は、前記下ベース１１内部において証明写真の前送りを可能とするローラーを設置し、該ローラーは一部が前記下ベース１１の表面に露出している。また、前記上ベース１２内部には、接触圧迫ローラーを設置し、該接触圧迫ローラーは該ローラー上方に対応し、証明写真３を連動して前記識別装置１に進入させるようになっている。
【００２０】
前記下ベース１１の赤色光センサー１１１１と赤外線センサー１１１２は、前記上ベース１２の第一発光ダイオードモジュール１２１１と線性センサー１２１２とに対応する。前記識別装置１は、証明写真３に対して真偽の判断を行うことができ、生年月日識別モジュール１２１を通して、写真付証明書上の生年月日を読取り、所持人の年齢を判断することができる。
【００２１】
また、前記識別装置１は、画像読取りモジュール１５を通して写真付証明書上の所持人の写真を読取り、所持人の身分記録、或いは比較を行う。
【００２２】
システムブロックチャートである図２に示すように、識別装置１はマイクロコントローラー１４を通して各構成部品を制御する。該マイクロコントローラー１４は発光ダイオードコントローラー１２３と電気的に接続し、該発光ダイオードコントローラー１２３はさらに生年月日識別モジュール１２１、発光ダイオードモジュール１２４、画像読取りモジュール１５とそれぞれ電気的に接続する。
【００２３】
さらに、前記マイクロコントローラー１４は、ステップモーター１２２を通して、前記生年月日識別モジュール１２１の発光ダイオードモジュール１２１１と線性センサー１２１２とに対して制御を行い、電源制御１６を通して画像読取りモジュール１５に対して制御を行う。
【００２４】
前記マイクロコントローラー１４はさらに、外部指令を一次的に保存可能な出力／入力バッファー１７、識別装置１が識別した結果を保存可能なメモリ１８、外部時間への反応を備える、或いは外部時間とシンクロする即時時計１９、画像を伝送可能な出力／入力画像センサー２１を接続する。
【００２５】
自動販売機２は、電源モジュール２２に接続して電源の供給が行われる。
【００２６】
前記の各構成部品に関する説明と、フローチャートである図３に示すように、写真付証明書の識別を行う時には以下のステップにしたがって行われる。
【００２７】
ステップ（１０１）：写真付証明書は、ステップモーター１２２の起動後、識別装置内に取り込まれ、該テップモター１２２により写真付証明書の伝送速度が制御される。これにより、第二発光ダイオードモジュール１２４と生年月日識別モジュール１２１は、識別しようとする区域を同時に走査することができる。
【００２８】
ステップ（１０２）：第二センサーモジュール１１１と線性センサー１２１２とによ
り識別しようとするデータを読み取る。
【００２９】
ステップ（１０３）：第二センサーモジュール１１１が読み取ったデータを波形図に
描き、所定値と比較し、比較の結果が符合しなければ、ステップ（１０９）を実行する。
【００３０】
ステップ（１０４）：波形の識別結果をシステムに通知し、関連データを保存する。
【００３１】
ステップ（１０５）：線性センサー１２１２が走査した生年月日データを解析する。
【００３２】
ステップ（１０６）：生年月日データを比較値のフォーマットに符合するよう変換す
る。
【００３３】
ステップ（１０７）：法定年齢に符合するか否かを比較し、符合しなければ、ステッ
ップ（１０９）を実行する。
【００３４】
ステップ（１０８）：比較結果を通報する。
【００３５】
ステップ（１０９）：カードを退出させ、終了する。
【００３６】
上記ステップ（１０７）中において、もし前記識別装置１が、写真付証明書所持人の使用日付が丁度写真付証明書３上の日付（すなわち、写真付証明書所持人の誕生日）であるとき、比較結果を通報し、さらにあるパラメーターを伝送し、写真付証明書所持人が自動販売機２において消費後、プレゼントを贈ることができる。
【００３７】
さらに、ステップ（１０７）中において、写真付証明書３が定位されると、該識別装置１は画像読取りモジュール１５を通して写真付証明書３上の所持人の写真を読取り、自動販売機２の内蔵データベース或いはリモートエンドのサーバーのデータベースと比較し、或いは自動販売機２上に所定の撮影装置により所持人の画像を撮影し、所持人が本人であるかどうかを決定し、或いは探知された画像をメモリ１８中に保存し、後日の閲覧に備える。
【００３８】
写真付証明書上の人物の比較データのソースは、自動販売機２の所定の撮影機により所持人の画像を撮影する方式とすることができ、この種の異なるソースを利用する画像比較、及びこの種の簡易な修飾と同等効果の構造変化は、すべて本発明の特許範囲内に含まれるものとする。
【００３９】
さらに、上記説明のステップモーター１２２は、伝送装置の制御を行うモーターに過ぎないため、一般のモーター、直流モーター、ステップモーター、或いはラスターを対応させ写真付証明書の伝送速度或いは距離を制御するなどの各種組合せも、本発明の写真付証明書識別方法の保護の範囲とする。この種の簡易な修飾と同等効果の構造変化は、すべて本発明の特許範囲内に含まれるものとする。
【００４０】
図４に示すように、前記マイクロコントローラー１４は、発光ダイオードコントローラー１２３により第二発光ダイオードモジュール１２４を制御し、光線の発射の識別を行う。該光線は、さらに写真付証明書３を貫通し、投射光を生じる。該投射光は第二センサーモジュール１１１により受け取り後、処理プログラム（ＯＰ）１２５を経由しマイクロコントローラー１４に伝送され、相対する出力結果２３を発生する。
【００４１】
識別の過程において、第二発光ダイオードモジュール１２４中の赤色光発光ダイオード１２４１は、写真付証明書３上の透かし、エンボスシール、或いはレーザータグなどの特殊な標記に対して照射を行うことができる。さらに、赤外線発光ダイオード１２４１と相対する赤色光センサー１１１１により貫通光を受け取り、写真付証明書３が所定値の正確な特殊標記と符合するか否かを識別する。
【００４２】
第二発光ダイオードモジュール１２４中の赤外線発光ダイオード１２４２は、写真付証明書３上の生年月日区に対して照射を行うことができ、さらに赤外線発光ダイオード１２４２が相対する赤外線センサー１１１２により貫通光を受け取り、写真付証明書表面に偽造生年月日の紙が接着されていないかどうかを識別する。
【００４３】
こうして写真付証明書３上の透かしと生年月日区域の識別により、写真付証明書３が偽造されたものであるかどうかを確認することができる。
【００４４】
実施例のカード所持人の生年月日識別指示図である図５に示すように、マイクロコントローラー１４は、発光ダイオードコントローラー１２３を通して発光ダイオードモジュール１２１１を制御し、モータークロック１２１４を通して線性センサー１２１２を制御する。
【００４５】
写真付証明書３の前進中に、生年月日識別モジュール１２１は第一発光ダイオードモジュール１２１１を通して光源を発射し、写真付証明書３上の生年月日区域に照射する。こうして線性センサー１２１２により第一レンズ１２１３を通して、写真付証明書３の所持人の生年月日を同時に読取り、線性センサー１２１２が読み取った生年月日をマイクロコントローラー１４に伝送し、適当に転換後、即時時計１９の日時と比較する。こうして写真付証明書３所持人の年齢が符合するかいなかを確認し、マイクロコントローラー１４が比較、或いは識別後のデータをメモリ１８内に保存し、さらに、出力結果２３を自動販売機２に伝送する。
【００４６】
上記生年月日日時の読取り方式は、第一発光ダイオードモジュール１２１１が写真付証明書３の生年月日区域に照射する時に、生年月日区域上の文字或いは数字は、光線が異なる色の表面に対して異なる強度或いは特性の反射光を発することを利用する。前記線性センサー１２１２は、読み取った反射光線を、光学文字識別機或いはソフトウエアにより写真付証明書３上の生年月日区域のデータを識別する。
【００４７】
さらに、マイクロコントローラー１４は、写真付証明書３上の生年月日を読み取った後、該データを即時時計１９と符合する日時フォーマットに転換するため、数字の文字への転換、或いは文字の数字へ変換する。
【００４８】
実施例のカード所持人の写真識別ブロック図である図６に示すように、識別装置１のマイクロコントローラー１４は、発光ダイオードコントローラー１２３及び電源制御１６により画像読取りモジュール１５を駆動する。よって、画像読取りモジュール１５内部の第三発行ダイオードモジュール１５１は、写真付証明書３の写真区域を照射することができ、画像センサー１５２を通して写真付証明書３上の写真を撮影或いは読取り、さらに該読み取った写真を自動販売機２に伝送する。さらに、画像読取りモジュール１５が読み取った写真は、自動販売機２内部に設置する所定の画像データベースと比較し、或いは自動販売機２が接続する外部のデータベースと比較する。上記の画像読取り方式は２種の方式を通して行うことができる。
【００４９】
１種は撮影の方式を利用し直接画像を読み取るもので、もう１種の方式は、線性走査の方式を利用し、線性区域により写真を読み取るものである。上記画像読取りの方式に関しては公知技術に属し、しかも細部構成は本発明の要点ではないため、詳述しない。
【００５０】
さらに、前記識別装置１は、写真付証明書３の真偽識別を行う時、或いは生年月日識別モジュール１２１により年齢の比較を行う時、及び画像読取りモジュール１５により所持人写真の読取り或いは比較を行う時、もし上記３種の内の任意の１種でも符号しない場合には、該識別装置１は当該写真付証明書３を退出させ、取引を終了する。
【００５１】
しかし、写真付証明書の所持人が自動販売機２から商品を購入しようとする時には、取引の成功、失敗にかかわらず、前記識別装置１は写真付証明書３上の写真付証明書３の大小、厚み、所持人の生年月日、写真、写真付証明書番号、取引時間、取引商品などの関連データを記録し、後日のデータ確立或いは検査に利用することができる。
【００５２】
さらに、画像読取りモジュール１５が読み取った写真は、識別ソフトを通して使用者の性別を分析するため、上記のような所持人の生年月日、性別、写真、取引時間、取引商品などの関連データの記録を通して、自動販売機業者は使用者の消費形態の分析と記録を効果的に行うことができる。
【００５３】
上記赤色光発光ダイオード１２４１及び赤外線発光ダイオード１２４２を通して発射する異なる波長の貫通性光源は、青色光、緑色光、或いは全波長を備える三色光、或いは五色光の可視光発光ダイオード、或いは紫外線などの不可視光線発光ダイオードにより、貫通性の光源発射を提供し、写真付証明書３の真偽の識別を行い、赤色光発光ダイオード１２４１及び赤外線発光ダイオード１２４２と対応するセンサーはその波長と対応する。この種の簡易な修飾及び同等効果の構造変化はすべて本発明の特許範囲に含まれる。
【００５４】
さらに、像読取りモジュール１５中に運用する画像センサー１５２は、実際にはＣＣＤ、或いはＣＭＯＳなどの感光部品で、この種の異なる感光部品を利用し行う画像の読取り或いは、メモリ１８との連接を通して行う映像の録画などの簡易な修飾及び同等効果の構造変化はすべて本発明の特許範囲に含まれる。
【００５５】
さらに、上記説明中で運用する透かし識別は本発明の最適実施例に過ぎず、透かし、エンボスシール、或いはレーザータグなどの特殊標記の識別はすべて本発明の保護範囲で、この種の簡易な修飾及び同等効果の構造変化はすべて本発明の特許範囲に含まれる。
【００５６】
本発明の上記実施例は、従来技術と比較し、以下のような長所を備える。
【００５７】
1. 識別装置１が有する生年月日識別モジュール１２１を通して、写真付証明書所持人の年齢を確認するため、商店が年齢制限のある商品を販売する場合には、所持人の真実の年齢を効果的に識別し、タバコや酒などの年齢制限のある商品を販売することによる、商店或いは購入者の法規違反を防止することができる。
【００５８】
2. 生年月日識別モジュール１２１に即時時計１９を対応させることで、写真付証明書所持人の消費時間を正確に比較することができ、これに誕生日のプレゼントを贈るメカニズムを対応させ、こうして自動販売機２はより人間的になり、消費者の親近感を拡大し、消費意欲の増大を進めることができる。
【００５９】
3. 赤外線発光ダイオード１２４２により写真付証明書３上に偽造データが接着されていないかどうかを確認し、赤色光発光ダイオード１２４１を利用し該写真付証明書３上の透かし、エンボスシール、レーザータグなどの特殊標記を識別するため、写真付証明書偽造の装置或いは機器を用い、さらにはコンピュータスキャナー、コピー、印刷などの方式を運用し写真付証明書の偽造を行うことを防止することができる。
【００６０】
4. 写真付証明書所持人の年齢及び写真付証明書の真偽の識別を確認後、識別装置１は、画像読取りモジュール１５により写真付証明書上の写真を読取り、さらに所定のデータベースにより消費者が真実の写真付証明書所持人であるかどうかを確認することで、一枚の写真付証明書が多用され写真付証明書の濫用が行われることを防止する。
【００６１】
5. 赤色光及び赤外線などの可視及び不可視発光ダイオードにより写真付証明書の真偽を識別するため、発光ダイオードの体積は小さく、自動販売機２の限られた空間の識別装置１に適用可能である。さらに、その全体構造は複雑ではなく、精密な光線照射角度の調整が不要で、また、発光ダイオードは予熱の時間が必要ないため、反応速度が素早い。さらに、発光ダイオードは、消費電力が少なく、低汚染で、輝度が高く、寿命が長いなどの特性を備え、写真付証明書真偽の判断の安定性を高め、写真付証明書の真偽の識別率及び精度を向上させることができる。
【００６２】
6. 自動販売機２が各種薬品或いは他の危険性を備える禁制品を販売することができる場合には、商店或いは販売員が、該商品を取得するために、他人からの脅迫或いは傷害を受けることを防ぎ、保護することができる。もし、自動販売機２を通して危険性を備える禁制品或いは管制品を販売する場合には、写真付証明書３上の所持人の生年月日、写真、写真付証明書番号、取引時間、或いは取引商品などの関連データの記録により、商店或いは警察は容疑者を調査或いは追跡することができる。さらに、現代の生活では至る所に設置されているモニターカメラと、写真付証明書関連データの記録機能を備える自動販売機２を組み合わせることで、警察或いは社会全体にとってより完全な犯罪捜査網となり、容疑者が残した可能性のある証拠を探し、或いはさらなる犯罪防止に役立てることができる。
【００６３】
7. 人的コストの問題を効果的に解決するため、自動販売機が広く運用されている国（日本、米国など）では、識別装置１が偽造カードを探知、或いは所定のデータベース内のデータに符合することを探知した時（指名手配犯、テロリストの画像、生年月日、或いは写真付証明書番号などのデータ）には、触発信号を送信し、画像読取りモジュール１５を触発することにより、犯罪者の疑いがある人物に対して撮影と録画を行い、或いは所定の接続システムを通して警察に即時に通知し、犯罪者の所在地を特定する方式を、提供できる。これにより、コストが極めて高い困難な技術を開発する必要なく、警察或いは社会全体に対して完全な犯罪捜査網を提供することができ、社会の安全を効果的に守ることができる。
【００６４】
上記は本発明の実施例に過ぎず、本発明の特許範囲を限定するものではない。本発明の特許範囲を運用し行う同等効果の変化と修飾は、本発明の特許範囲に含まれるものとする。
【図面の簡単な説明】
【００６５】
【図１】本発明の実施例に用いる識別装置を示す立体外観図である。
【図２】本発明の実施例に用いる識別装置のシステムブロックチャートである。
【図３】本発明の実施例の動作のフローチャートである。
【図４】本発明の実施例における写真付証明書の真偽を識別するブロック図である。
【図５】本発明の実施例におけるカード所持人の生年月日を識別するブロック図である。
【図６】本発の実施例におけるカード所持人の写真を識別するブロック図である。
【符号の説明】
【００６６】
１  識別装置
１１  下ベース
１１１  第二センサーモジュール
１１１１  赤色光センサー
１１１２  赤外線センサー
１２  上ベース
１２１  生年月日識別モジュール
１２１１  第一発光ダイオードモジュール
１２１２  線性センサー
１２１３  第一レンズ
１２１４  モータークロック
１２２  ステップモーター
１２３  発光ダイオードコントローラー
１２４  第二発光ダイオードモジュール
１２４１  赤色光発光ダイオード
１２４２  赤外線発光ダイオード
１２５  処理プログラム
１３  伝送装置
１３１  伝送通路
１４  マイクロコントローラー
１５  画像読取りモジュール
１５１  第三発光ダイオードモジュール
１５２  画像センサー
１６  電源制御
１７  出力／入力バッファー
１８  メモリ
１９  即時時計
２  自動販売機
２１  出力／入力画像センサー
２２  電源モジュール
２３  出力結果
【図１】
2008310691.tif 000003
【図２】
2008310691.tif 000004
【図３】
2008310691.tif 000005
【図４】
2008310691.tif 000006
【図５】
2008310691.tif 000007
【図６】
2008310691.tif 000008